(57)【要約】【課題】親局装置と子局装置の通信経路を、簡易な手段を用いて自動的に確立する通信システムを得る。【解決手段】通信システムの構成は、親局装置１０１は光スプリッタ１０４を介して複数の子局装置１０５，１０６，１０７に光ファイバ１０８によって接続され、また、親局装置１０１は制御部１０９、シリアル番号認証部１１０、子局装置登録情報ＤＢ１１４、子局装置登録拒否情報ＤＢ１１５を備えて構成される。また、子局装置１０５〜１０７は子局番号生成部１１１，１１２，１１３を備える。【選択図】        図１
2004356892.tif 000002
【特許請求の範囲】
【請求項１】
親局装置（局側装置）と複数の子局装置（加入者側装置）とを有し、ＰＯＮ構成からなる通信システムにおいて、
前記親局装置は、
通信経路を確立するための前記子局装置の子局番号を、当該子局装置から取得する子局番号取得手段と、
前記子局番号取得手段により得られた子局番号を認証する認証手段と、
前記認証手段により認証された前記子局番号で当該子局装置の登録を行う子局登録手段とを備え、
前記子局装置は、
前記親局装置の子局番号取得手段からは子局番号の問い合わせがあった場合、問い合わせのシリアル番号と当該子局装置が記憶する子局番号とを比較する比較手段と、
前記比較手段により、前記問い合わせのシリアル番号と前記子局番号とが一致した場合、前記親局装置に対して応答する応答手段とを備え、
前記親局装置は、前記子局装置から応答があった場合に当該子局装置の登録を行うことを特徴とする通信システム。
【請求項２】
子局装置は任意の子局番号を生成する子局番号生成手段を備えることを特徴とする請求項１記載の通信システム。
【請求項３】
子局番号生成手段は所定の周期で子局番号を生成し、新しい子局番号として更新することを特徴とする請求項２記載の通信システム。
【請求項４】
子局番号生成手段はランダムな周期で子局番号を生成し、新しい子局番号として更新することを特徴とする請求項２記載の通信システム。
【請求項５】
子局番号生成手段は、親局装置に対して応答した後、子局番号を生成し、新しい子局番号として更新することを特徴とする請求項２記載の通信システム。
【請求項６】
親局装置からのシリアル番号の問い合わせに対し、指定された子局装置の子局番号が一致している場合、所定の時間経過後、前記子局装置は前記親局装置に対して応答することを特徴とする請求項２から請求項５のうちのいずれか１項記載の通信システム。
【請求項７】
親局装置は子局装置への接続が必要なくなった場合、前記親局装置に登録されている当該子局装置のシリアル番号の登録を削除すると共に、前記子局装置へのシリアル番号の問い合わせを中止することを特徴とする請求項１記載の通信システム。
【請求項８】
親局装置は子局装置への接続が必要なくなった場合、当該子局装置の子局番号の登録を削除すると共に、前記子局装置へのシリアル番号の問い合わせを中止することを特徴とする請求項１記載の通信システム。
【請求項９】
親局装置は子局装置の電源断時に、子局装置の登録状態を保持する登録保持手段を備えることを特徴とする請求項１記載の通信システム。
【請求項１０】
親局装置は子局装置の移設時に、登録した前記子局装置の子局番号を一時的に抹消し、移設後に新たに生成された子局番号に対して自動的に登録を行うことを特徴とする請求項９記載の通信システム。
【請求項１１】
親局装置は子局装置の電源断時に、子局装置の登録を削除し、子局装置に送信許可を与えないことを特徴とする請求項９記載の通信システム。
【請求項１２】
親局装置は、親局装置と子局装置間の通信が不可能な場合には、子局装置の登録を削除すると共に、子局装置へのシリアル番号の問い合わせを中止し、一方、通信が回復した場合には、子局装置の自動登録を行うことを特徴とする請求項９記載の通信システム。
【請求項１３】
親局装置は、子局装置の登録を自動で行う自動登録手段と共に、親局装置と子局装置間の通信が不可能な場合においても、当該子局装置の登録を手動で行うことが可能な手動登録手段を備えることを特徴とする請求項１記載の通信システム。
【発明の詳細な説明】
【０００１】
【発明の属する技術分野】
この発明は、局内装置（以下  親局装置）と加入者装置（以下  子局装置）の通信経路を確立する手段を備えた、ＰＯＮ（Ｐａｓｓｉｖｅ  Ｏｐｔｉｃａｌ  Ｎｅｔｗｏｒｋ）構成からなる通信システムに関するものである。
【０００２】
【従来の技術】
ＰＯＮ構成からなる通信システムでは、親局装置と子局装置の通信経路を確立する手段として、保守者が親局装置の端末から子局装置の子局番号およびシリアル番号を入力することにより子局装置の通信経路を確立する方法がある。また、非特許文献１に記載されている、極めて複雑なバイナリーツリーメカニズムを用いて、子局装置の通信経路を確立する方法がある。
【０００３】
【非特許文献１】
ＩＴＵ−Ｔ勧告  Ｇ．９８３．１
【０００４】
【発明が解決しようとする課題】
従来の方法では、親局装置と子局装置の通信経路を確立するために、親局装置の端末から子局装置の子局番号およびシリアル番号を入力する必要がある。そのため、子局番号やシリアル番号情報を誤入力した場合、通信経路を確立することが不可能となる。また、通信経路を確立する子局装置が多い場合、通信経路を確立する子局装置の数に伴い、保守者の入力作業が増大し多大な時間を要するものとなる。
【０００５】
この発明は上記のような課題を解決するためになされたもので、親局装置と子局装置の通信経路を、簡易な手段を用いて自動的に確立する通信システムを得ることを目的とする。
【０００６】
【課題を解決するための手段】
この発明に係る通信システムは、親局装置（局側装置）と複数の子局装置（加入者側装置）とを有し、ＰＯＮ構成からなる通信システムにおいて、親局装置は、通信経路を確立するための子局装置の子局番号を、当該子局装置から取得する子局番号取得手段と、子局番号取得手段により得られた子局番号を認証する認証手段と、認証手段により認証された子局番号で当該子局装置の登録を行う子局登録手段とを備え、子局装置は、親局装置の子局番号取得手段からは子局番号の問い合わせがあった場合、問い合わせのシリアル番号と当該子局装置が記憶する子局番号とを比較する比較手段と、比較手段により、問い合わせのシリアル番号と子局番号とが一致した場合、親局装置に対して応答する応答手段とを備え、親局装置は、子局装置から応答があった場合に当該子局装置の登録を行うものである。
【０００７】
【発明の実施の形態】
以下、この発明の実施の一形態について説明する。
実施の形態１．
この発明の実施の形態１に係る通信システムについて図１および図２を参照して説明する。この通信システムはＰＯＮ構成からなり、親局装置に少なくとも子局装置が１台以上接続されているものである。なお、図１は実施の形態１に係る通信システムの構成を示すブロック図であり、図２はこの通信システムの子局装置の自動登録の流れついて示すシーケンスチャートである。
【０００８】
この実施の形態１に係る通信システムは図１に示すように、親局装置１０１は光スプリッタ１０４を介して複数の子局装置１０５，１０６，１０７に光ファイバ１０８によって接続された構成である。また、親局装置１０１は制御部１０９、シリアル番号認証部１１０、子局装置登録情報ＤＢ１１４、子局装置登録拒否情報ＤＢ１１５を備える。また、子局装置１０５〜１０７は子局番号生成部１１１，１１２，１１３を備える。なお、１つのＰＯＮを構成する子局装置として３台としてあるが、これに限定されるものではない。
【０００９】
つぎに、動作について説明する。親局装置１０１は、子局装置１０５〜１０７へシリアル番号の問い合わせを行い、子局装置１０５〜１０７から応答があった場合、そのシリアル番号をシリアル番号認証部１１０で認証し、子局装置１０５〜１０７の登録を制御部１０９で行う。親局装置１０１のシリアル番号認証部１１０では、子局装置登録情報ＤＢ（データベース）１１４を参照し、子局装置１０５〜１０７のシリアル番号が既に登録されているか否かを確認し、また、子局装置登録拒否情報ＤＢ１１５を参照し、登録拒否するシリアル番号ではないか否かを確認する。
【００１０】
子局装置１０５〜１０７の子局番号に該当するシリアル番号が、未登録であり、また登録拒否するシリアル番号でない場合、認証に成功し、子局装置１０５〜１０７のシリアル番号を親局装置１０１の制御部１０９に転送し、子局装置登録情報ＤＢ１１４に該当する子局装置のシリアル番号の登録を行う。
【００１１】
つぎに親局装置１０１と子局装置１０５〜１０７の間の通信経路を確立する動作について説明する。図２に示すように、親局装置１０１から子局装置１０５〜１０７へ子局番号の問い合わせを行う（ステップＳＴ１０１）。このとき、子局装置１０５〜１０７は、予め各々の子局番号の生成部１１１〜１１３で、各々異なった子局番号を生成しているとする。子局装置１０５〜１０７は親局装置１０１からの子局番号の問い合わせに対して該当子局番号を持っている子局装置のみが親局装置１０１へそのシリアル番号の応答を返す。
【００１２】
親局装置１０１の子局番号の問い合わせに対して、子局装置１０６の子局番号が一致しているとすると、子局装置１０６から親局装置１０１へ子局装置１０６が持っているシリアル番号を返す（ステップＳＴ１０２）。このとき、子局装置１０５と子局装置１０７は、親局装置１０１からの子局番号の問い合わせと異なる子局番号を持っているため、子局装置１０５と子局装置１０７は、親局装置１０１の子局番号の問い合わせに対して無視する。
【００１３】
次に、親局装置１０１は子局装置への問い合わせで応答があった子局装置１０６からのシリアル番号の認証を、親局装置１０１の認証部１１０で行う。親局装置１０１の認証部１１０では、応答があったシリアル番号が親局装置に既に登録されていないことを確認するために、親局装置１０１内の子局装置登録情報ＤＢ１１４に問い合わせ、次に、そのシリアル番号が登録拒否リストに入っていないかを確認するために、子局装置登録拒否情報ＤＢ１１５に問い合わせる。
【００１４】
応答があったシリアル番号が未登録であり、また、登録を拒否すべきリストに入っていなければ、認証部１１０で子局装置１０６からの応答があったシリアル番号の認証が成功し、そのシリアル番号を親局装置１０１の制御部１０９に格納する。親局装置１０１の制御部１０９では、認証部１１０から渡された子局装置１０６のシリアル番号を子局装置登録情報ＤＢ１１４に登録する。一方、子局装置登録情報ＤＢ１１４または子局装置登録拒否情報ＤＢ１１５に該当するシリアル番号が存在した場合は、認証部１１０で認証は失敗となり、親局装置１０１には登録されない。
【００１５】
親局装置１０１は、制御部１０９で登録されたシリアル番号を有する子局装置１０６に、登録情報を送信する（ステップＳＴ１０３）。子局装置１０６は、親局装置１０１からの登録情報を受信し、受信確認としてＡＣＫ（Ａｃｋｎｏｗｌｅｄｇｅｍｅｎｔ）信号を親局装置１０１に送信する（ステップＳＴ１０４）。ここで、親局装置１０１は、子局装置登録情報ＤＢ１１４に登録されている子局装置１０６の登録情報と子局装置１０６からの応答で通信経路を確立する子局装置１０６の登録が完了し、親局装置１０１と子局装置１０６は通信経路が確立する。
【００１６】
親局装置１０１は、ある時間経過した後、新たなシリアル番号で子局装置１０５と１０７に問い合わせを行い、子局装置１０６と同様な手順で、シリアル番号と子局番号とが一致している場合は登録作業を行う。このとき、子局装置１０６は、上述した手順で通信経路が確立されているので、親局装置１０１から子局番号の問い合わせは子局装置１０６に対しては行われない。
【００１７】
以上説明したようにこの実施の形態１によれば、簡単な手段を用いて親局装置と子局装置との間の通信経路が自動的に確立することができる。従って、従来では、例えば親局装置に登録する子局装置の子局番号やシリアル番号の入力時の入力ミスの問題、また、通信経路を確立するための作業工数、特に子局装置が多数ある場合に作業工数が増大するという問題を解決することができる。
【００１８】
実施の形態２．
この発明の実施の形態２に係る通信システムについて図３を参照して説明する。また、適宜、図１を参照するものとする。この通信システムは子局装置の子局番号生成部で周期的に、或いはランダムな周期で子局装置のシリアル番号を生成する手段を備えるものである。なお、図３はこの通信システムの子局装置が備える子局番号生成部の子局番号の生成の流れについて示すシーケンスチャートである。その他の通信システムの構成とその構成要素の働きは実施の形態１で説明したことと同様であり、それらの説明は省略する。
【００１９】
つぎに、実施の形態２に係る通信システムについての動作について説明する。この実施の形態２は、子局装置の子局番号生成部で周期的に、或いはランダムな周期で子局番号を生成し、その都度、その子局番号を子局装置の子局番号とするものである。この子局番号は各々の子局装置の子局番号生成部１１１〜１１３で生成する。この子局番号の生成は、親局装置１０１に対して応答した都度、生成するようにしてもよい。
【００２０】
親局装置１０１から子局装置１０５〜１０７へシリアル番号の問い合わせを行う（ステップＳＴ２０１）。このとき、親局装置１０１からのシリアル番号の問い合わせで、子局装置１０６と子局装置１０７が同じ子局番号であった場合、子局装置１０６と子局装置１０７は、親局装置１０１へ子局番号に該当するシリアル番号を返すことになる（ステップＳＴ２０２、ステップＳＴ２０３）。親局装置１０１は、重複したシリアル番号の応答を受信するため、子局装置１０６と１０７のシリアル番号の応答を無視する。
【００２１】
子局装置１０６，１０７は、親局装置１０１へシリアル番号の応答を送信した後、各々の子局番号生成部１１２，１１３で、新たに子局番号を生成し、それ以前の子局番号を破棄して新たに生成された子局番号を、その子局装置１０６，１０７の子局番号とする。ここで、子局番号の生成は、予め設定された所定の周期で、或いはランダムな周期で子局装置の子局番号を生成することにより、これら２つの子局装置で同じ子局番号を生成することを回避することができる（但し、確率的に極めて稀まれには再度、同じになることはありうる）。また、一方を所定の周期で、他の一方をランダムな周期でシリアル番号を発生させるようにしてもよい。
【００２２】
つぎに、親局装置１０１は、所定時間の経過後、通信を確立すべき子局装置１０５〜１０７へ子局番号の問い合わせを行う（ステップＳＴ２０４）。子局装置１０６，１０７は、各々の子局装置の生成部１１２，１１３で異なった子局番号が生成されているので、子局番号が重複することはない。ステップＳＴ２０４で子局装置１０６の子局番号が問い合わせのシリアル番号と一致しているとすると、子局装置１０６から親局装置１０１へ、子局装置１０６が持っているシリアル番号を返す（ステップＳＴ２０５）。このとき、子局装置１０５と子局装置１０７は、親局装置１０１からのシリアル番号の問い合わせと異なる子局番号を持っているため、子局装置１０５と子局装置１０７は、親局装置１０１の子局番号の問い合わせに対して無視する。
【００２３】
次に、親局装置１０１は子局装置への問い合わせで応答があった子局装置１０６からのシリアル番号の認証を行うために、親局装置１０１の認証部１１０で認証を行う。親局装置１０１の認証部１１０では、応答があったシリアル番号が親局装置に既に登録されていないかを確認するために、親局装置１０１内の子局装置登録情報ＤＢ１１４に問い合わせ、次に、そのシリアル番号が登録拒否リストに入っていないかを確認するために、子局装置登録拒否情報ＤＢ１１５に問い合わせる。
【００２４】
応答があったシリアル番号が未登録であり、また、登録を拒否するべきリストに入っていなければ、認証部１１０で子局装置１０６からの応答があったシリアル番号の認証が成功し、そのシリアル番号を子局装置１０６の子局番号として親局装置１０１の制御部１０９に格納する。親局装置１０１の制御部１０９では、認証部１１０から渡された子局装置１０６のシリアル番号を子局装置登録情報ＤＢ１１４に登録し、一方、子局装置登録情報ＤＢ１１４または子局装置登録拒否情報ＤＢ１１５に、該当するシリアル番号が存在した場合は、認証部１１０で認証失敗となり、親局装置１０１には登録されない。その後、実施の形態１において説明したようにして親局装置１０１と子局装置１０６の通信経路を確立する（ステップＳＴ２０６、ステップＳＴ２０７）。
【００２５】
つぎに親局装置１０１は、所定時間の経過後、新たなシリアル番号で子局装置１０５および子局装置１０７に問い合わせを行い（ステップＳＴ２０８）、例えば子局装置１０７の子局番号にシリアル番号が一致している場合、子局装置１０７から親局装置１０１へ、子局装置１０７が持っているシリアル番号を返す（ステップＳＴ２０９）。その後、親局装置１０１と子局装置１０７間の通信経路の確立は実施の形態１で説明したことと同様にして行われる（ステップＳＴ２１０，ステップＳＴ２１１）。このとき、子局装置１０６は前記手順で通信経路が確立されているので、親局装置１０１からシリアル番号の問い合わせは子局装置１０６に対しては行われない。
【００２６】
以上説明したように実施の形態２によれば、子局装置の子局番号生成部で周期的に、或いはランダムな周期で子局装置のシリアル番号を生成し、それを子局装置の子局番号とするので、子局装置の間で子局番号が重複することはない。
【００２７】
実施の形態３．
この発明の実施の形態３に係る通信システムについて図４を参照して説明する。また、適宜、図１を参照するものとする。この通信システムは子局番号を生成する際にシリアル番号の応答時間を計算する手段を備えているものである。なお、図４はこの通信システムの子局装置が備える子局番号生成部のシリアル番号に関する応答の流れについて示すシーケンスチャートである。他の通信システムの構成とその構成要素の働きは実施の形態１で説明したことと同様であり、それらの説明は省略する。
【００２８】
つぎに、実施の形態３に係る通信システムについての動作について説明する。この実施の形態３は、親局装置１０１からのシリアル番号の問い合わせに対して、子局装置１０５〜１０７からの応答を、夫々、所定の時間差を設けて行うものである。
【００２９】
まず、親局装置１０１から子局装置１０６と子局装置１０７に対し、シリアル番号の問い合わせが行われる（ステップＳＴ３０１）。この場合、子局装置１０６と子局装置１０７は同じ子局番号を生成しているとする。ここで、親局装置１０１からのシリアル番号の問い合わせに対して子局装置１０５〜１０７の子局番号生成部１１１〜１１３は、子局番号を生成すると共にシリアル番号の問い合わせに対する応答時間を計算する。そのため、親局装置１０１への応答は、任意の時間差を設けてから行うことができるので、親局装置１０１において子局装置１０５〜１０７のシリアル番号の応答が時間的に重複することはない。
【００３０】
子局装置１０６は、親局装置１０１からのシリアル番号の問い合わせに対して即時に応答する（ステップＳＴ３０２）。一方、子局装置１０７の応答は、子局装置１０７の子局番号生成部１１３でシリアル応答時間（Ｔ０）が算出されたとすると、その時間（Ｔ０）をおいて応答することになる（ステップＳＴ３０３）。
【００３１】
親局装置１０１には、子局装置１０６のシリアル番号の応答が子局装置１０７のシリアル番号の応答よりも先に送信されるので、親局装置１０１は、制御部１０９で登録されたシリアル番号を有する子局装置１０６に、登録情報を送信する（ステップＳＴ３０４）。子局装置１０６は、親局装置１０１からの登録情報を受信し、受信確認としてＡＣＫ信号を親局装置１０１に送信し（ステップＳＴ３０５）、実施の形態１で説明したようにして親局装置１０１と子局装置１０６との通信経路を確立する。
【００３２】
ここで、子局装置１０７のシリアル番号の応答は、上述したように任意の時間（Ｔ０）を設けて親局装置１０１に送信する。このとき、親局装置１０１は、すでに子局装置１０６のシリアル番号を登録しているので、子局装置１０７のシリアル番号が子局装置１０６のシリアル番号と同一であった場合、子局装置１０７の応答を無視する。
【００３３】
つぎに親局装置１０１は、所定の時間が経過した後、通信確立すべき子局装置１０５と子局装置１０７へシリアル番号の問い合わせを行う（ステップＳＴ３０６）。このとき、子局装置１０５，１０７では、夫々の子局装置の子局番号生成部１１１，１１３で新たな子局番号が生成され、また、シリアル番号応答時間も算出されることになる。
【００３４】
ステップＳＴ３０６での親局装置１０１からのシリアル番号の問い合わせに対して、子局装置１０７の子局番号（子局番号生成部１１３で生成された新たな子局番号）が一致しているとすると、子局装置１０７は親局装置１０１へシリアル番号の問い合わせに対して応答し（ステップＳＴ３０７）し、その後、実施の形態１で説明したようにして親局装置１０１と子局装置１０７との通信経路を確立する（ステップＳＴ３０８，ステップＳＴ３０９）。
【００３５】
以上説明したようにこの実施の形態３によれば、親局装置からのシリアル番号の問い合わせに対して、子局装置からの応答は、夫々、所定の時間差を設けて行うため、親局装置において子局装置のシリアル番号の応答が重複することを防止する。
【００３６】
実施の形態４．
この発明の実施の形態４に係る通信システムについて図１を参照して説明する。この通信システムは、親局装置に登録済みの子局装置の登録を削除する手段を備えるものである。なお、通信システムの他の構成とその構成要素の働きは実施の形態１で説明したことと同様であり、それらの説明は省略する。
【００３７】
子局装置１０６のシリアル番号が、すでに親局装置１０１に登録されているとする。親局装置１０１は子局装置１０６の解約などで、子局装置１０６の通信の接続の必要がなくなった場合、子局装置登録情報ＤＢ１１４に格納されている子局装置１０６の登録情報を子局装置登録拒否情報ＤＢ１１５へ格納する。子局装置登録拒否情報ＤＢ１１５には、親局装置１０１から問い合わせを行ったときの子局番号と子局装置１０６のシリアル番号が格納されている。
【００３８】
次に、親局装置１０１は、子局装置登録情報ＤＢ１１４に登録されている子局装置１０６の登録情報を削除する。登録情報には、親局装置１０１から通信を確立するために子局装置へ問い合わせを行ったときの子局番号とその子局番号をもつ子局装置のシリアル番号が含まれている。この場合は、子局装置１０６のシリアル番号が子局番号にあたる。
【００３９】
親局装置１０１で子局装置１０６の登録情報が削除されると、親局装置１０１と子局装置１０６の通信経路が未接続となる。ここで、親局装置１０１は、子局装置登録拒否情報ＤＢ１１５に親局装置１０１から問い合わせを行ったときの子局番号と子局装置１０６のシリアル番号が格納されているので、通信経路を確立するために親局装置１０１から子局装置１０５〜１０７へ子局番号の問い合わせを行う際には、子局番号１０６には子局番号の問い合わせは行わない。
【００４０】
以上説明したようにこの実施の形態４によれば、親局装置の、削除された子局装置が登録されていた領域に、新たに別の子局装置を登録することが可能となるのでＰＯＮを有効に利用することが可能となる。
【００４１】
実施の形態５．
この発明の実施の形態５に係る通信システムについて図５〜図７を参照して説明する。また、適宜、図１を参照するものとする。この通信システムは、電源断、伝送路の障害および子局装置の故障等からの回復手段を備えるものである。なお、図５は実施の形態５に係る通信システムの子局装置の電源断・回復の流れについて示すシーケンスチャートであり、図６はこの通信システムの、子局装置が電源断となり、親局装置の登録削除後、再び自動登録される流れについて示すシーケンスチャートであり、図７はこの通信システムの、伝送路の障害および子局装置の故障からの回復の流れについて示すシーケンスチャートである。また、通信システムの他の構成とその構成要素の働きは実施の形態１で説明したことと同様であり、それらの説明は省略する。
【００４２】
例えば、子局装置１０６の電源断時には子局装置１０６のシリアル番号が、すでに親局装置１０１に登録されているとする。図５に示すように、子局装置１０６は、電源断時、親局装置１０１へ電源断通知を送信する（ステップＳＴ４０１）。親局装置１０１は、子局装置１０６の電源断通知を受信し、親局装置１０１の制御部１０９は、子局装置登録情報ＤＢ１１４に登録されている子局装置１０６の登録情報をＴ１時間、保持する。親局装置１０１は、子局装置１０６の登録情報をＴ１時間、保持していても、他の子局装置１０５と１０７の通信経路を確立することが可能であり、実施の形態１において説明したようにして、子局装置１０５と１０７の登録を行うことができる（ステップＳＴ４０２〜ステップＳＴ４０５）。
【００４３】
次に、子局装置１０６の登録情報をＴ１時間、保持している親局装置１０１の制御部１０９は、Ｔ１時間以内に子局装置１０６から、電源回復通知が親局装置１０１に送信されたならば（ステップＳＴ４０６）、親局装置１０１の制御部１０９に保持されている子局装置１０６の登録情報を子局装置登録情報ＤＢ１１４へ格納する。次に、親局装置１０１は、子局装置１０６に登録情報を送信し（ステップＳＴ４０７）、子局装置１０６はＡＣＫ信号を返し（ステップＳＴ４０８）、遮断された親局装置１０１と子局装置１０６の通信経路を自動的に確立する。従って、親局装置１０１から子局番号の問い合わせの処理なしに、子局装置の自動登録処理を行うことができるので、電源投入時の接続時間を短縮することができる。
【００４４】
また、図６は子局装置１０６が電源断通知を送信してから、Ｔ１時間経過しても子局装置１０６から電源回復通知が親局装置１０１に送信されない場合を示している。
【００４５】
まず、すでに親局装置１０１に登録済みの子局装置１０６から電源断通知が親局装置１０１に送信され（ステップＳＴ５０１）、前述したように親局装置１０１の制御部１０９は、子局自動登録情報ＤＢ１１４に登録されている子局装置１０６の登録情報をＴ１時間保持する。Ｔ１時間を保持している間は、他の子局装置１０５，１０７の登録を行うことも可能である（ステップＳＴ５０２〜ステップＳＴ５０５）。
【００４６】
つぎに、Ｔ１時間が経過しても子局装置１０６から電源回復通知が親局装置１０１に送信されなければ（本来、ステップＳＴ５０６において通知がなされる）、制御部１０９に格納されている子局装置１０６の登録情報を削除する。親局装置１０１は、子局装置１０６から電源回復通知が送信されないので、親局装置１０１から子局装置にシリアル番号の問い合わせは行わない。親局装置１０１は、電源断になっている子局装置１０６から電源回復通知が送信された後、実施の形態１で説明した手順に従い、自動登録を開始する。移設時等についても同様である。従って、無駄なポーリングを抑止し、ＰＯＮの使用帯域を抑えることができる。
【００４７】
つぎに、親局装置１０１と子局装置間の伝送路の障害や子局装置の故障などで、子局装置での通信が不可能になった場合について説明する。図７に示すように、親局装置１０１と子局装置１０６が通信を行うためには、親局装置１０１から送信許可を子局装置１０６に送信する必要がある（ステップＳＴ６０１）。このとき、親局装置１０１から子局装置に送信許可を送信するのは、親局装置に登録されている子局装置のみである。
【００４８】
子局装置１０６は、親局装置１０１から送信許可を受信し、親局装置１０１にデータフレームを送信する（ステップＳＴ６０２）。親局装置１０１は、子局装置１０６のデータフレームの送信が終了後、親局装置１０１に登録されている他の子局装置に送信許可を与え、子局装置１０６と同様にデータ転送処理を行う。図７では、親局装置１０１に登録されて子局装置は、子局装置１０６だけとしている。
【００４９】
次に、親局装置１０１から子局装置１０６に送信許可が与えられたとき（ステップＳＴ６０３）、親局装置１０１は、送信許可を与えてからＴ２時間待つ。親局装置１０１と子局装置間の伝送路の障害や子局装置の故障などがなければ、Ｔ２時間内に、子局装置１０６からデータフレームが送信される。Ｔ２時間が経過しても、子局装置１０６からデータフレームが送信されてこなれければ、親局装置１０１は、子局装置間の伝送路の障害や子局装置の故障などと認識し、制御部１０９で子局自動登録情報ＤＢ１１４に登録されている子局装置１０６の登録情報を削除する。
【００５０】
子局装置１０６の登録情報を削除するので、親局装置１０１は子局装置１０６に送信許可を与えず、無駄なポーリングを抑止することができる。親局装置１０１と子局装置間の伝送路の障害や子局装置の故障などが回復したときには、実施の形態１で説明した手順に従い、子局装置１０６のシリアル番号を自動登録処理で行う（ステップＳＴ６０４〜ステップＳＴ６０７）。
【００５１】
実施の形態６．
この発明の実施の形態６に係る通信システムについて、図１を参照して説明する。この通信システムは手動登録に関する機能を備えるものである。なお、通信システムの他の構成とその構成要素の働きは実施の形態１で説明したことと同様であり、それらの説明は省略する。
【００５２】
実施の形態１〜実施の形態５の通信システムでは、登録する子局装置が電源断や光ファイバ１０８に接続されていない状況では、その子局装置を親局装置に自動で登録することはできない。この対策のために手動で登録する手段を備えたものであり、手動で登録する場合は、親局装置１０１のオペレーションシステムから直接、親局装置１０１の制御部１０９にアクセスし、子局装置のシリアル番号を入力する。入力された子局装置のシリアル番号は、制御部１０９によって、子局装置登録情報ＤＢ１１４に登録される。その後、実施の形態１〜実施の形態５の手順に従って子局装置の自動登録を行う。従って、親局装置１０１のオペレーションシステムからその子局装置を手動で親局装置１０１に登録することが可能である。また、手動登録と自動登録の共存は可能である。
【００５３】
【発明の効果】
以上のように、この発明によれば、親局装置と子局装置間の通信経路を確立するために必要である子局装置の子局番号を、親局装置からの問い合わせがあったシリアル番号と一致したときにのみ、自動的に通信経路を確立するので、保守者が行う遠隔保守端末から親局装置に対して子局装置の子局番号およびシリアル番号の入力が不要になり、保守者等の工数が省け、また、子局番号のシリアル番号の誤入力による通信経路の未確立が解決できる効果がある。
【００５４】
この発明によれば、子局装置の電源断時、もしくは親局装置と子局装置間の伝送路の障害や子局装置の故障などで親局装置は子局装置の登録情報を削除することにより、無駄なポーリングを抑止することができるので、使用帯域も抑えることが可能である効果がある。
【図面の簡単な説明】
【図１】この発明の実施の形態１に係る通信システムの構成を示す図である。
【図２】この発明の実施の形態１に係る通信システムの子局装置の自動登録の流れについて示すシーケンスチャートである。
【図３】この発明の実施の形態２に係る通信システムの子局装置が備える子局番号生成部の子局番号生成の流れについて示すシーケンスチャートである。
【図４】この発明の実施の形態３に係る通信システムの子局装置が備える子局番号生成部のシリアル番号に関する応答の流れについて示すシーケンスチャートである。
【図５】この発明の実施の形態５に係る通信システムの子局装置の電源断・回復の流れについて示すシーケンスチャートである。
【図６】この発明の実施の形態５に係る通信システムの、子局装置が電源断となり、親局装置の登録削除後、再び自動登録される流れについて示すシーケンスチャートである。
【図７】この発明の実施の形態５に係る通信システムの、伝送路の障害および子局装置の故障からの回復の流れについて示すシーケンスチャートである。
【符号の説明】
１０１  親局装置、１０４  光スプリッタ、１０５，１０６，１０７  子局装置、１０８  光ファイバ、１０９  制御部、１１０  シリアル番号認証部（認証手段）、１１１，１１２，１１３  子局番号生成部（子局番号生成手段）、１１４  子局装置登録情報ＤＢ、１１５  子局装置登録拒否情報ＤＢ。
【図１】
2004356892.tif 000003
【図２】
2004356892.tif 000004
【図３】
2004356892.tif 000005
【図４】
2004356892.tif 000006
【図５】
2004356892.tif 000007
【図６】
2004356892.tif 000008
【図７】
2004356892.tif 000009